(57)【要約】      （修正有）【課題】占有容積を減少させることができる遮蔽装置および冷蔵庫を提供する。【解決手段】遮蔽装置７０は冷蔵庫の内部で風路を塞ぐ機能を有する。遮蔽装置７０は、モータで回転する送風ファンを半径方向外側から囲む複数の回転遮蔽壁７１を具備する。回転遮蔽壁７１が、送風ファンの半径方向において外側に向かって変位することで風路が開状態となる。一方、回転遮蔽壁７１が、送風ファンの半径方向において内側に向かって変位することで、風路が閉状態となる。【選択図】図５
2019100656.tif 000002
【特許請求の範囲】
【請求項１】
冷蔵庫の内部で風路を塞ぐ遮蔽装置であり、
モータで回転する送風機を半径方向外側から囲む複数の遮蔽壁を具備し、
前記遮蔽壁が、前記送風機の半径方向において外側に向かって変位することで、前記風路が開状態となり、
前記遮蔽壁が、前記送風機の半径方向において内側に向かって変位することで、前記風路が閉状態となることを特徴とする遮蔽装置。
【請求項２】
前記遮蔽壁は、その一端側に形成された回転軸を回転中心として半径方向外側に向かって回転することで、前記開状態を実現する回転遮蔽壁であることを特徴とする請求項１に記載の遮蔽装置。
【請求項３】
前記回転遮蔽壁に隣接され、回転可能な回転プレートと、を更に具備し、
前記回転プレートは、前記回転遮蔽壁の前記回転軸がスライドする回転軸スライド溝と、前記回転遮蔽壁の移動軸がスライド可能に配置される移動軸スライド溝と、を有し、
前記回転軸スライド溝は、円周方向に対して略平行に形成され、
前記移動軸スライド溝の一部は円周方向に対して傾斜して形成されることを特徴とする請求項２に記載の遮蔽装置。
【請求項４】
複数の前記移動軸スライド溝が形成され、
前記移動軸スライド溝どうしで形状が異なることを特徴とする請求項３に記載の遮蔽装置。
【請求項５】
前記移動軸スライド溝は、前記回転プレートの円周方向に対して平行に延びる第１溝部と、前記第１溝部から半径方向外側に向かって傾斜して延びる第２溝部と、を有することを特徴とする請求項３または請求項４に記載の遮蔽装置。
【請求項６】
前記移動軸スライド溝は、更に、前記第２溝部から半径方向内側に向かって傾斜して延びる第３溝部と、を有することを特徴とする請求項５に記載の遮蔽装置。
【請求項７】
貯蔵室に前記風路を経由して供給される空気を冷却する冷凍サイクルの冷却器と、
前記冷却器が配設されて前記貯蔵室につながる送風口が形成される冷却室と、
前記送風口から供給される前記空気を前記貯蔵室に向けて送風する前記送風機と、
前記送風口を少なくとも部分的に塞ぐ、請求項１から請求項６の何れかに記載された遮蔽装置と、を具備することを特徴とする冷蔵庫。
【請求項８】
前記風路は、前記遮蔽装置から周囲に向かって複数が形成されることを特徴とする請求項７に記載の冷蔵庫。
【発明の詳細な説明】
【技術分野】
【０００１】
本発明は、貯蔵室内に食品等を冷却保存する冷蔵庫に関し、特に、冷却室から貯蔵室につながる風路を適宜塞ぐ遮蔽装置を備えた冷蔵庫に関する。
【背景技術】
【０００２】
従来から、特許文献１に記載されたような、一つの冷却器で複数の貯蔵室を適宜冷却する冷蔵庫が知られている。
【０００３】
図１７に、この文献に記載された冷蔵庫１００を模式的に示す。この図に示す冷蔵庫１００には、上方から、冷蔵室１０１、冷凍室１０２および野菜室１０３が形成されている。冷凍室１０２の奥側には、冷却器１０８が収納される冷却室１０４が形成されており、冷却室１０４と冷凍室１０２とを区画する区画壁１０５には、冷気を各貯蔵室に供給するための開口部１０６が形成されている。また、この開口部１０６には、冷気を送風する送風ファン１０７が配設されており、この送風ファン１０７を覆う送風機カバー１１０が冷凍室１０２側に配置されている。冷蔵室１０１に供給される冷気が流通する風路１０９の途中には、ダンパ１１４が配設されている。
【０００４】
図１８を参照して、上記した送風機カバー１１０を詳述する。送風機カバー１１０は、略四角形形状を呈する凹部１１１が形成されており、凹部１１１の上部を部分的に切り欠いて開口部１１３が形成されている。ここで、送風機カバー１１０が、上記した送風ファン１０７を覆う状況では、送風機カバー１１０の開口部１１３は、冷蔵庫本体側の風路１０９と連通している。
【０００５】
上記した構成の冷蔵庫１００は次のように動作する。先ず、冷蔵室１０１および冷凍室１０２の両方を冷却する場合は、送風機カバー１１０を送風ファン１０７から離間させ、ダンパ１１４を開き、この状態で送風ファン１０７を回転させる。そうすると、冷却室１０４の内部で冷却器１０８により冷却された冷気の一部は、送風ファン１０７の送風力で、冷凍室１０２に送風される。また、この冷気の他の一部は、風路１０９、ダンパ１１４および風路１０９を経由して、冷蔵室１０１に送風される。これより、冷凍室１０２と冷蔵室１０１の両方が冷却される。
【０００６】
一方、冷蔵室１０１のみを冷却する際には、送風ファン１０７を送風機カバー１１０で覆い、ダンパ１１４を開き、この状態にて冷却器１０８で冷却された冷気を送風ファン１０７で送風する。送風機カバー１１０を閉鎖状態にすると、送風機カバー１１０の上部に形成された開口部１１３が、風路１０９と連通するようになる。よって、送風ファン１０７で送風された冷気は、上記した開口部１１３、ダンパ１１４、風路１０９を経由して、冷蔵室１０１に供給される。
【０００７】
上記のように、開口部１１３が形成された送風機カバー１１０を用いることで、一つの冷却器１０８で、複数の貯蔵室を適宜冷却することが可能となった。
【先行技術文献】
【特許文献】
【０００８】
【特許文献１】特開２０１３−２６６４号公報
【発明の概要】
【発明が解決しようとする課題】
【０００９】
しかしながら、上記した構成の送風機カバー１１０は、後方に移動することで冷却室１０４の開口部１０６を塞ぎ、前方に移動することで冷却室１０４の開口部１０６を解放する。従って、送風機カバー１１０は、開閉動作を前後方向に沿って行うための空間を必要とする。よって、冷蔵庫１００の内部に於いて、送風機カバー１１０が開閉動作を行うために大きな空間が必要とされる。この結果、送風機カバー１１０の前方に形成される冷凍室１０２の庫内容積が圧迫されてしまい、冷凍室１０２に収納することができる被貯蔵物の量が制限されてしまう課題があった。
【００１０】
本発明は、上記の事情に鑑みてなされたものであり、その目的とするところは、占有容積を減少させることができる遮蔽装置および冷蔵庫を提供することにある。
【課題を解決するための手段】
【００１１】
本発明の遮蔽装置は、冷蔵庫の内部で風路を塞ぐ遮蔽装置であり、モータで回転する送風機を半径方向外側から囲む複数の遮蔽壁を具備し、前記遮蔽壁が、前記送風機の半径方向において外側に向かって変位することで、前記風路が開状態となり、前記遮蔽壁が、前記送風機の半径方向において内側に向かって変位することで、前記風路が閉状態となることを特徴とする。
【００１２】
また、本発明の遮蔽装置では、前記遮蔽壁は、その一端側に形成された回転軸を回転中心として半径方向外側に向かって回転することで、前記開状態を実現する回転遮蔽壁であることを特徴とする。
【００１３】
また、本発明の遮蔽装置では、前記回転遮蔽壁に隣接され、回転可能な回転プレートと、を更に具備し、前記回転プレートは、前記回転遮蔽壁の前記回転軸がスライドする回転軸スライド溝と、前記回転遮蔽壁の移動軸がスライド可能に配置される移動軸スライド溝と、を有し、前記回転軸スライド溝は、円周方向に対して略平行に形成され、前記移動軸スライド溝の一部は円周方向に対して傾斜して形成されることを特徴とする。
【００１４】
また、本発明の遮蔽装置では、複数の前記移動軸スライド溝が形成され、前記移動軸スライド溝どうしで形状が異なることを特徴とする。
【００１５】
また、本発明の遮蔽装置では、前記移動軸スライド溝は、前記回転プレートの円周方向に対して平行に延びる第１溝部と、前記第１溝部から半径方向外側に向かって傾斜して延びる第２溝部と、を有することを特徴とする。
【００１６】
また、本発明の冷蔵庫では、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記送風口を少なくとも部分的に塞ぐ蔽装置と、具備することを特徴とする。
【００１７】
また、本発明の冷蔵庫では、前記風路は、前記遮蔽装置から周囲に向かって複数が形成されることを特徴とする。
【発明の効果】
【００１８】
本発明の遮蔽装置は、冷蔵庫の内部で風路を塞ぐ遮蔽装置であり、モータで回転する送風機を半径方向外側から囲む複数の遮蔽壁を具備し、前記遮蔽壁が、前記送風機の半径方向において外側に向かって変位することで、前記風路が開状態となり、前記遮蔽壁が、前記送風機の半径方向において内側に向かって変位することで、前記風路が閉状態となることを特徴とする。従って、送風機の半径方向外側に配設された遮蔽壁を、半径方向に沿って変位させることで、風路の開閉を行うことができる。よって、遮蔽装置の厚み方向に沿って遮蔽壁が変位しないので、遮蔽装置が占有する厚みを削減することができる。
【００１９】
また、本発明の遮蔽装置では、前記遮蔽壁は、その一端側に形成された回転軸を回転中心として半径方向外側に向かって回転することで、前記開状態を実現する回転遮蔽壁であることを特徴とする。従って、回転遮蔽壁を回転させる簡易な構成で、容易に開状態を実現することができる。
【００２０】
また、本発明の遮蔽装置では、前記回転遮蔽壁に隣接され、回転可能な回転プレートと、を更に具備し、前記回転プレートは、前記回転遮蔽壁の前記回転軸がスライドする回転軸スライド溝と、前記回転遮蔽壁の移動軸がスライド可能に配置される移動軸スライド溝と、を有し、前記回転軸スライド溝は、円周方向に対して略平行に形成され、前記移動軸スライド溝の一部は円周方向に対して傾斜して形成されることを特徴とする。従って、移動軸スライド溝の一部が円周方向に対して傾斜して形成されることで、回転プレートを回転させると、傾斜している移動軸スライド溝を移動軸がスライドすることで、回転遮蔽壁を任意の角度で回転させることができる。
【００２１】
また、本発明の遮蔽装置では、複数の前記移動軸スライド溝が形成され、前記移動軸スライド溝どうしで形状が異なることを特徴とする。従って、本発明の遮蔽装置には複数の回転遮蔽壁が設けられるが、特定の回転遮蔽壁を特定の角度で開くことができ、これにより遮蔽装置を経由して所望の供給風路に冷気を送風することができる。
【００２２】
また、本発明の遮蔽装置では、前記移動軸スライド溝は、前記回転プレートの円周方向に対して平行に延びる第１溝部と、前記第１溝部から半径方向外側に向かって傾斜して延びる第２溝部と、を有することを特徴とする。従って、移動軸スライド溝の第２溝部に沿って、回転遮蔽壁の移動軸がスライドすることで、回転遮蔽壁を開状態とすることができる。
【００２３】
また、本発明の遮蔽装置では、前記移動軸スライド溝は、更に、前記第２溝部から半径方向内側に向かって傾斜して延びる第３溝部と、を有することを特徴とする。従って、移動軸スライド溝の第３溝部に沿って、回転遮蔽壁の移動軸をスライドさせることで、所定のタイミングで回転遮蔽壁を閉じる方向に回転させることができる。
【００２４】
また、本発明の冷蔵庫では、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記送風口を少なくとも部分的に塞ぐ蔽装置と、具備することを特徴とする。従って、本発明の遮蔽装置を冷蔵庫に適用すると、冷蔵庫本体に於いて遮蔽装置が占有する容積を小さくすることができる。よって、冷凍室等の貯蔵室の庫内容積を大きくし、より多くの被貯蔵物を貯蔵室に収納することができる。
【００２５】
また、本発明の冷蔵庫では、前記風路は、前記遮蔽装置から周囲に向かって複数が形成されることを特徴とする。従って、遮蔽装置の遮蔽壁を適宜開閉することで、所望の風路に冷気を送風することができるので、ダンパの如き機能を遮蔽装置に持たせることができる。
【図面の簡単な説明】
【００２６】
【図１】本発明の実施形態に係る冷蔵庫の外観を示す正面図である。
【図２】本発明の実施形態に係る冷蔵庫の内部構成を示す側方断面図である。
【図３】本発明の実施形態に係る冷蔵庫の冷却室付近の構造を示す拡大された側方断面図である。
【図４】本発明の実施形態に係る冷蔵庫で採用される遮蔽装置が組み付けられる構成を示す図であり、（Ａ）は斜視図であり、（Ｂ）は断面図であり、（Ｃ）は風路構成を示す斜視図である。
【図５】本発明の実施形態に係る遮蔽装置を示す図であり、（Ａ）は斜視図であり、（Ｂ）は分解斜視図である。
【図６】本発明の実施形態に係る遮蔽装置を示す図であり、（Ａ）は回転遮蔽壁を示す図であり、（Ｂ）は回転プレートを示す図である。
【図７】本発明の実施形態に係る遮蔽装置を示す図であり、（Ａ）は全閉状態に於ける回転プレートを示す図であり、（Ｂ）はその状態の回転遮蔽壁を示す図である。
【図８】本発明の実施形態に係る遮蔽装置が全閉状態の場合の風路の状況を示す斜視図である。
【図９】本発明の実施形態に係る遮蔽装置を示す図であり、（Ａ）は全開状態に於ける回転プレートを示す図であり、（Ｂ）はその状態の回転遮蔽壁を示す図である。
【図１０】本発明の実施形態に係る遮蔽装置が全開状態の場合の風路の状況を示す斜視図である。
【図１１】本発明の実施形態に係る遮蔽装置を示す図であり、（Ａ）は冷蔵室のみに冷気を供給する状態に於ける回転プレートを示す図であり、（Ｂ）はその状態の回転遮蔽壁を示す図である。
【図１２】本発明の実施形態に係る遮蔽装置が、冷蔵室のみに冷気を供給する状態の場合の風路の状況を示す斜視図である。
【図１３】本発明の実施形態に係る遮蔽装置を示す図であり、（Ａ）は上段冷凍室のみに冷気を供給する状態に於ける回転プレートを示す図であり、（Ｂ）はその状態の回転遮蔽壁を示す図である。
【図１４】本発明の実施形態に係る遮蔽装置が、上段冷凍室のみに冷気を供給する状態の場合の風路の状況を示す斜視図である。
【図１５】本発明の実施形態に係る遮蔽装置を示す図であり、（Ａ）は下段冷凍室のみに冷気を供給する状態に於ける回転プレートを示す図であり、（Ｂ）はその状態の回転遮蔽壁を示す図である。
【図１６】本発明の実施形態に係る遮蔽装置が、下段冷凍室のみに冷気を供給する状態の場合の風路の状況を示す斜視図である。
【図１７】背景技術に係る冷蔵庫を示す拡大側面図である。
【図１８】背景技術に係る冷蔵庫で採用される送風機カバーを示す斜視図である。
【発明を実施するための形態】
【００２７】
以下、本発明の実施形態に係る冷蔵庫１０を図面に基づき詳細に説明する。以下の説明では、同一の部材には原則的に同一の符号を付し、繰り返しの説明は省略する。更に以下の説明では、上下前後左右の各方向を適宜用いるが、左右とは冷蔵庫１０を前方から見た場合の左右を示している。
【００２８】
図１は、本形態の冷蔵庫１０の概略構造を示す正面外観図である。図１に示すように、冷蔵庫１０は、本体としての断熱箱体１１を備え、この断熱箱体１１の内部に食品等を貯蔵する貯蔵室を形成している。この貯蔵室としては、最上段が冷蔵室１５、その下段左側が製氷室１６で右側が上段冷凍室１８、更にその下段が下段冷凍室１９、そして最下段が野菜室２０である。尚、製氷室１６、上段冷凍室１８および下段冷凍室１９は、何れも冷凍温度域の貯蔵室であり、以下の説明ではこれらを冷凍室１７と総称する場合もある。また、以下の説明では、上段冷凍室１８および製氷室１６を、上段冷凍室１８等と称する場合もある。
【００２９】
断熱箱体１１の前面は開口しており、前記各貯蔵室に対応した開口には、各々断熱扉２１等が開閉自在に設けられている。断熱扉２１は、冷蔵室１５の前面を左右方向に分割して塞ぐもので、断熱扉２１の幅方向における外側上下端部が断熱箱体１１に回転自在に取り付けられている。また、断熱扉２２、２３、２４、２５は、各々収納容器と一体的に組み合わされ、冷蔵庫１０の前方に引出自在に、断熱箱体１１に支持されている。
【００３０】
図２は、冷蔵庫１０の概略構造を示す側方断面図である。図２に示すように、冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した各断熱扉２１〜２５も、断熱箱体１１と同様の断熱構造を採用している。
【００３１】
冷蔵室１５と、その下段に位置する冷凍室１７とは、断熱仕切壁４２によって仕切られている。冷凍室１７の内部の製氷室１６と上段冷凍室１８との間は、ここでは図示しない仕切壁によって仕切られている。また、製氷室１６及び上段冷凍室１８と、その下段に設けられた下段冷凍室１９との間は、冷却された空気である冷気が流通自在に連通している。そして、冷凍室１７と野菜室２０との間は、断熱仕切壁４３によって区分けされている。
【００３２】
冷蔵室１５の背面には、合成樹脂製の仕切体６５で区画され、冷蔵室１５へと冷気を供給する供給風路としての冷蔵室供給風路２９が形成されている。冷蔵室供給風路２９には、冷蔵室１５に冷気を流す吹出口３３が形成されている。
【００３３】
冷凍室１７の奥側には、冷却器４５で冷却された冷気を冷凍室１７へと流す冷凍室供給風路３１が形成されている。冷凍室供給風路３１の更に奥側には、冷却室２６が形成されており、その内部には、庫内を循環する空気を冷却するための蒸発器である冷却器４５が配置されている。冷凍室供給風路３１は、前面カバー６７と仕切体６６とで前後方向から囲まれた空間である。
【００３４】
冷却器４５は、圧縮機４４、図示しない放熱器、図示しない膨張手段であるキャピラリーチューブに冷媒配管を介して接続されており、蒸気圧縮式の冷凍サイクル回路を構成するものである。
【００３５】
図３は、冷蔵庫１０の冷却室２６付近の構造を示す側方断面図である。冷却室２６は、断熱箱体１１の内部で、冷凍室供給風路３１の奥側に設けられている。冷却室２６と冷凍室１７との間は、合成樹脂製の仕切体６６によって仕切られている。
【００３６】
冷却室２６の前方に形成される冷凍室供給風路３１は、冷却室２６とその前方に組み付けられる合成樹脂製の前面カバー６７との間に形成された空間であり、冷却器４５で冷却された冷気を流す風路となる。前面カバー６７には、冷凍室１７に冷気を吹き出す開口である吹出口３４が形成されている。
【００３７】
下段冷凍室１９の下部背面には、冷凍室１７から冷却室２６へと空気を戻す戻り口３８が形成されている。そして、冷却室２６の下方には、この戻り口３８につながり、各貯蔵室からの帰還冷気を冷却室２６の内部へと吸入する、戻り口２８が形成されている。戻り口２８には、野菜室２０の戻り口３９（図２）および野菜室帰還風路３７を経由して帰還する冷気も流入する。
【００３８】
また、冷却器４５の下方には、冷却器４５に付着した霜を融かして除去する除霜手段として、除霜ヒータ４６が設けられている。除霜ヒータ４６は、電気抵抗加熱式のヒータである。
【００３９】
冷却室２６の上部には、各貯蔵室につながる開口である送風口２７が形成されている。送風口２７は、冷却器４５で冷却された冷気を流す開口であり、冷却室２６と、冷蔵室供給風路２９および冷凍室供給風路３１とを連通させる。送風口２７には、前方から、冷凍室１７等に向けて冷気を送り出す送風機４７が配設されている。また、冷蔵室供給風路２９にはダンパが介装されておらず、ダンパの機能は後述する遮蔽装置７０の回転遮蔽壁７１Ａが担っている。
【００４０】
冷却室２６の送風口２７の外側には、送風口２７からつながる風路を適宜塞ぐための遮蔽装置７０が設けられている。遮蔽装置７０は、前方から前面カバー６７で覆われている。
【００４１】
図４を参照して、上記した風路を規制する遮蔽装置７０が組み付けられる構成を説明する。図４（Ａ）は遮蔽装置７０が組み付けられた仕切体６６を示す斜視図であり、図４（Ｂ）は図４（Ａ）のＢ−Ｂ線に於ける断面図であり、図４（Ｃ）は仕切体６６の奥側の風路構成を示す斜視図である。
【００４２】
図４（Ａ）を参照して、仕切体６６の上方部分を部分的に円形に開口することで送風口２７が形成されており、送風口２７の前方には送風機４７および遮蔽装置７０が配設されている。また、仕切体６６の上端側に形成された開口部位は、上記した冷蔵室供給風路２９に連通している。
【００４３】
図４（Ｂ）を参照して、上記したように、仕切体６６および前面カバー６７で囲まれる空間として冷凍室供給風路３１が形成されている。後述するように、冷凍室供給風路３１は、複数の風路に区分されている。
【００４４】
図４（Ｃ）を参照して、前面カバー６７の内部空間を仕切ることで複数の送風路が形成されている。具体的には、前面カバー６７の後側主面から後方に向かってリブ状の風路区画壁５６が形成されており、この風路区画壁５６の後端は上記した仕切体６６に当接している。ここでは、上記した冷凍室供給風路３１は、上方から、上方供給風路５１、５２、下方供給風路５３、５４、５５に区分されている。上方供給風路５１、５２は上段冷凍室１８に送風し、下方供給風路５３、５４、５５は下段冷凍室１９に送風する。各々の供給風路には、吹出口３４が形成されている。換言すると、ここで形成される各風路は、遮蔽装置７０を中心として周囲に広がるように形成されている。
【００４５】
このように、上記した冷凍室供給風路３１を複数の上方供給風路５２等に区分することで、遮蔽装置７０の回転遮蔽壁７１を開閉動作させ、上方供給風路５２等に適宜冷気を供給することができる。よって、冷凍室１７の内部の庫内温度をより精密に制御することができる。かかる事項は後述する。
【００４６】
また、上記した冷蔵室供給風路２９等は、遮蔽装置７０を周囲から囲むように形成されているが、個々の冷蔵室供給風路２９等は、後述する回転遮蔽壁７１の一つに面している。このようにすることで、遮蔽装置７０の回転遮蔽壁７１の開閉動作を行うことで、冷蔵室供給風路２９等の連通および遮断を個別に行うことができ、遮蔽装置７０がダンパの如き機能を有するようになる。
【００４７】
図５を参照して、遮蔽装置７０の構成を説明する。図５（Ａ）は遮蔽装置７０を示す斜視図であり、図５（Ｂ）は遮蔽装置７０の分解斜視図である。
【００４８】
図５（Ａ）を参照して、遮蔽装置７０は上記した送風機４７で送風された冷気の経路を規制する装置であり、遮蔽装置７０を開状態とすることで上記した冷却室２６と各貯蔵室とつなぐ風路を連通させ、遮蔽装置７０を閉状態とすることで風路を遮断する。
【００４９】
図５（Ｂ）を参照して、遮蔽装置７０は、後方側から、回転プレート７３、回転遮蔽壁７１、駆動モータ７４および支持板７２を備えている。また、送風機４７は、回転プレート７３と支持板７２との間に配設されている。送風機４７は、ここでは図示しないが、例えば、ターボファンなどの遠心ファンと、この遠心ファンを回転させるモータとを具備しており、半径方向外側に向かって送風する。
【００５０】
回転プレート７３は、略円板状に成型された鋼板であり、回転遮蔽壁７１の開閉動作を司るための溝が形成されている。各溝の構成は後述する。回転プレート７３が駆動モータ７４の駆動力で回転することで、回転遮蔽壁７１の開閉を行うことができる。
【００５１】
回転遮蔽壁７１は、送風機４７を周囲から囲むように円周方向に沿って複数が配置されている。後方から見ると、回転遮蔽壁７１は羽根の如き形状を呈している。回転遮蔽壁７１は、回転軸７５および移動軸７６を有する。回転軸７５は、回転遮蔽壁７１が回動する際に回転中心となる軸であり移動しない。回転軸７５は、支持板７２の支持部７７が挿通し、回転プレート７３の後述する回転軸スライド溝７９に係合している。移動軸７６は、後方に向かって突出する突起状軸であり、回転プレート７３の後述する移動軸スライド溝８０に係合している。移動軸７６は、回転プレート７３の回転に伴い、移動軸スライド溝８０に沿って円周方向および半径方向に沿って移動する。
【００５２】
また、回転プレート７３は駆動モータ７４の駆動力で回転する。回転プレート７３と駆動モータ７４とは、ここでは図示しないベルトやギア等で駆動的に接続されている。
【００５３】
支持板７２は、遮蔽装置７０を冷蔵庫１０の本体に据え付ける板状の部材である。支持板７２から後方に向かって棒状に延びる複数の支持部７７が形成されている。支持部７７は、送風機４７の周辺部、回転遮蔽壁７１の回転軸７５、回転プレート７３の後述する回転軸スライド溝７９を貫通する。支持部７７の後端はビス７８が締結されることで、各部材の位置が固定される。
【００５４】
図６を参照して、上記した遮蔽装置７０が備える回転プレート７３および回転遮蔽壁７１を説明する。図６（Ａ）は回転遮蔽壁７１を示す平面図であり、図６（Ｂ）は回転プレート７３を示す平面図である。以下の説明では、図６に示す視点で時計回りを順方向と称し、反時計回りを逆方向と称する。
【００５５】
図６（Ａ）を参照して、円周方向に沿って複数の回転遮蔽壁７１Ａ、７１Ｂ、７１Ｃ、７１Ｄ、７１Ｅ、７１Ｆが配設されている。各々の回転遮蔽壁７１Ａ等は、回転軸７５Ａ等および移動軸７６Ａ等を有する。回転軸７５Ａ等は、後述する回転プレート７３の回転軸スライド溝７９Ａ等に係合する。移動軸７６Ａ等、後述する回転プレート７３の移動軸スライド溝８０に係合する。
【００５６】
回転遮蔽壁７１Ａないし回転遮蔽壁７１Ｆは、全体として環状部材を形成しており、上記した送風機４７を周囲から囲む。回転遮蔽壁７１Ａないし回転遮蔽壁７１Ｆは、上記した送風機４７の半径方向外側に向かって変位することで、上記した各風路を開状態とする。一方、回転遮蔽壁７１Ａないし回転遮蔽壁７１Ｆは、上記した送風機４７の半径方向内側に向かって変位することで、上記した各風路を閉状態とする。
【００５７】
回転遮蔽壁７１Ａないし回転遮蔽壁７１Ｆが、この図に示す閉状態であることで、冷気が送風される供給風路を塞ぐことができる。また、回転遮蔽壁７１Ａ等が、回転軸７５Ａ等を回転中心として反時計回りに回転することで、回転遮蔽壁７１Ａ等を開状態とし、風路を連通させることが出来る。
【００５８】
図６（Ｂ）を参照して、回転プレート７３には円周方向に沿って溝が形成されている。具体的には、回転プレート７３には、上記した回転軸７５Ａ等をスライドさせる回転軸スライド溝７９Ａ等と、上記した移動軸７６Ａ等をスライドさせる移動軸スライド溝８０Ａ等が形成されている。回転軸スライド溝７９Ａ等および移動軸スライド溝８０Ａ等は、上記した回転遮蔽壁７１Ａ等に対応して形成されている。
【００５９】
回転軸スライド溝７９Ａ等は、回転遮蔽壁７１Ａ等の回転軸７５Ａ等をスライドさせるための溝であり、回転プレート７３の円周方向に対して平行に形成されている。また、回転軸スライド溝７９Ａ等は、互いに等しい長さを有している。回転軸スライド溝７９Ａ等が、このような形状を呈していることで、上記した回転遮蔽壁７１Ａ等を開閉動作するために、後述する回転プレート７３を回転させると、回転軸７５Ａ等は回転軸スライド溝７９Ａ等をスライドする。
【００６０】
移動軸スライド溝８０Ａ等は、回転遮蔽壁７１Ａ等の移動軸７６Ａ等をスライドさせるための溝であり、回転軸スライド溝７９Ａ等よりも半径方向外側に形成されている。また、移動軸スライド溝８０Ａ等は、複数の溝部から形成されている。
【００６１】
具体的には、移動軸スライド溝８０Ａは、溝部８０ＡＡ、溝部８０ＡＢおよび溝部８０ＡＣから形成されている。溝部８０ＡＡは円周方向に対して平行であり、溝部８０ＡＢは順方向側が半径方向外側に向かって傾斜し、溝部８０ＡＣは円周方向に対して平行である。
【００６２】
移動軸スライド溝８０Ｂは、溝部８０ＢＡ、溝部８０ＢＢ、溝部８０ＢＣおよび溝部８０ＢＤから形成されている。溝部８０ＢＡは順方向側が半径方向外側に向かって傾斜し、溝部８０ＢＢは順方向側が半径方向内側に向かって傾斜し、溝部８０ＢＣは円周方向に対して平行であり、溝部８０ＢＤは順方向側が半径方向外側に向かって傾斜する。
【００６３】
移動軸スライド溝８０Ｃは、溝部８０ＣＡ、溝部８０ＣＢ、溝部８０ＣＣから形成されている。溝部８０ＣＡは順方向側が半径方向内側に向かって傾斜し、溝部８０ＣＢは円周方向に対して平行であり、溝部８０ＣＣは順方向側が半径方向外側に向かって傾斜する。
【００６４】
移動軸スライド溝８０Ｄは、溝部８０ＤＡ、溝部８０ＤＢ、溝部８０ＤＣから形成されている。溝部８０ＤＡは順方向側が半径方向内側に向かって傾斜し、溝部８０ＤＢは円周方向に対して平行であり、溝部８０ＤＣは順方向側が半径方向外側に向かって傾斜する。
【００６５】
移動軸スライド溝８０Ｅは、溝部８０ＥＡ、溝部８０ＥＢ、溝部８０ＥＣから形成されている。溝部８０ＥＡは順方向側が半径方向内側に向かって傾斜し、溝部８０ＥＢは、円周方向に対して平行であり、溝部８０ＥＣは順方向側が半径方向外側に向かって傾斜する。
【００６６】
移動軸スライド溝８０Ｆは、溝部８０ＦＡ、溝部８０ＦＢ、溝部８０ＦＣおよび溝部８０ＦＤから形成されている。溝部８０ＦＡは順方向側が半径方向外側に向かって傾斜し、溝部８０ＦＢは順方向側が半径方向内側に向かって傾斜し、溝部８０ＦＣは円周方向に対して平行であり、溝部８０ＦＤは順方向側が半径方向外側に向かって傾斜する。
【００６７】
移動軸スライド溝８０Ａ等が上記のような構成を呈していることで、回転プレート７３を回転させると、回転遮蔽壁７１Ａ等を開閉動作することができる。例えば、回転プレート７３を正方向に回転させると、曲折している移動軸スライド溝８０Ａに沿って上記した回転遮蔽壁７１Ａの移動軸７６Ａが移動し、回転遮蔽壁７１Ａが反時計回りに回転することで開状態と成る。回転遮蔽壁７１Ａが開状態と成った開口部から、冷気を各貯蔵室に向けて送風することができる。
【００６８】
上記のように、移動軸スライド溝８０Ａないし移動軸スライド溝８０Ｆは、互いに形状が異なる。このようにすることで、移動軸スライド溝８０Ａないし移動軸スライド溝８０Ｆにより、回転遮蔽壁７１Ａないし回転遮蔽壁７１Ｆが個別に変位され、異なるタイミングでこれらの回転遮蔽壁７１Ａ等が開閉動作を行う。これにより風路の開閉を個別に行うことができる。
【００６９】
また、移動軸スライド溝８０Ｂと移動軸スライド溝８０Ｆとは、円周方向に於いて略同一形状を呈している。このようにすることで、上記した回転遮蔽壁７１Ｂおよび回転遮蔽壁７１Ｆを同じタイミングで同程度に開閉動作させることができる。
【００７０】
また、移動軸スライド溝８０Ｃ、移動軸スライド溝８０Ｄおよび移動軸スライド溝８０Ｅは、円周方向に於いて略同一形状を呈している。このようにすることで、上記した回転遮蔽壁７１Ｃ、回転遮蔽壁７１Ｄおよび回転遮蔽壁７１Ｅを、同じタイミングで同程度に開閉動作させることができる。
【００７１】
ここで、移動軸スライド溝８０Ｂを一例とすると、溝部８０ＢＣが第１溝であり、溝部８０ＢＡが第２溝部であり、溝部８０ＢＢが第３溝部である。
【００７２】
図７から図１６を参照して、上記した遮蔽装置７０の回転プレート７３を回転することで、回転遮蔽壁７１Ａ等を開閉する動作を説明する。図７および図８は全閉状態の遮蔽装置７０を示し、図９および図１０は全開状態の遮蔽装置７０を示し、図１１および図１２は上記した冷蔵室１５のみに冷気を供給する状態の遮蔽装置７０を示し、図１３および図１４は上記した上段冷凍室１８等のみに冷気を供給する状態の遮蔽装置７０を示し、図１５および図１６は上記した下段冷凍室１９のみに冷気を供給する状態の遮蔽装置７０を示す。これら各状態は、上記した回転プレート７３を回転することで遷移することができる。
【００７３】
図７に全閉状態の遮蔽装置７０を示す。図７（Ａ）は全閉状態における回転プレート７３を示し、図７（Ｂ）はその状態の回転遮蔽壁７１Ａ等を示す。
【００７４】
図７（Ａ）を参照して、全閉状態に於いては、各移動軸スライド溝８０Ａ等の、円周方向に対して平行な溝部に、各回転遮蔽壁７１Ａ等の移動軸７６Ａ等が配置される。また、各移動軸スライド溝８０Ａ等の、円周方向に対して平行な溝部は、他の溝部よりも半径方向内側に配置されている。具体的には、移動軸スライド溝８０Ａの溝部８０ＡＡに移動軸７６Ａが配置され、移動軸スライド溝８０Ｂの溝部８０ＢＣに移動軸７６Ｂが配置され、移動軸スライド溝８０Ｃの溝部８０ＣＢに移動軸７６Ｃが配置される。また、移動軸スライド溝８０Ｄの溝部８０ＤＢに移動軸７６Ｄが配置され、移動軸スライド溝８０Ｅの溝部８０ＥＢに移動軸７６Ｅが配置され、移動軸スライド溝８０Ｆの溝部８０ＦＣに移動軸７６Ｂが配置される。
【００７５】
図７（Ｂ）を参照して、各回転遮蔽壁７１Ａ等の移動軸７６Ａ等を上記のように配置することで、各回転遮蔽壁７１Ａ等の全てが閉状態となる全閉状態にすることができる。この全閉状態では、回転遮蔽壁７１Ａないし７１Ｆの全てが閉状態であり、回転遮蔽壁７１Ａないし７１Ｆで上記した送風機４７を囲い込んでいる。
【００７６】
図８を参照して、遮蔽装置７０が全閉状態となると、各冷蔵室供給風路２９等に繋がる開口が全て閉鎖されるので、これらの風路に冷気は供給されない。除霜行程の際にはこのような全閉状態となる。具体的に、除霜行程では、図３を参照して、冷却室２６の送風口２７および送風機４７は遮蔽装置７０で覆われる。よって、各供給風路と冷却室２６とは分断される。また、除霜行程においては、制御装置が、圧縮機４４および送風機４７を停止し、除霜ヒータ４６に通電することで冷却室２６内の空気を加熱する。この結果、冷却器４５の表面に付着した霜は溶融されて除去される。このような除霜行程に於いて、遮蔽装置７０が全閉状態であるので、加熱された暖気が送風口２７を経由して各供給風路に漏れることを抑止することができる。
【００７７】
図９および図１０を参照して、全開状態の遮蔽装置７０を説明する。図９に全開状態の遮蔽装置７０を示す。図９（Ａ）は全開状態における回転プレート７３を示し、図９（Ｂ）はその状態の回転遮蔽壁７１Ａ等を示す。
【００７８】
図９（Ａ）を参照して、図７（Ａ）に示した全閉状態から、回転プレート７３を逆方向に回転させることで、全開状態が実現されている。この全開状態に於いては、各移動軸スライド溝８０Ａ等の、半径方向外側に配置された溝部に、各回転遮蔽壁７１Ａ等の移動軸７６Ａ等が配置される。また、各移動軸スライド溝８０Ａ等の順方向側の端部に、各回転遮蔽壁７１Ａ等の移動軸７６Ａ等が配置される。
【００７９】
具体的には、移動軸スライド溝８０Ａの溝部８０ＡＣに移動軸７６Ａが配置され、移動軸スライド溝８０Ｂの溝部８０ＢＤに移動軸７６Ｂが配置され、移動軸スライド溝８０Ｃの溝部８０ＣＣに移動軸７６Ｃが配置される。また、移動軸スライド溝８０Ｄの溝部８０ＤＣに移動軸７６Ｄが配置され、移動軸スライド溝８０Ｅの溝部８０ＥＣに移動軸７６Ｅが配置され、移動軸スライド溝８０Ｆの溝部８０ＦＤに移動軸７６Ｆが配置される。
【００８０】
図９（Ｂ）を参照して、各回転遮蔽壁７１Ａ等の移動軸７６Ａ等を上記のように配置することで、各回転遮蔽壁７１Ａ等の全てが開状態となる全開状態にすることができる。この全開状態では、回転遮蔽壁７１Ａないし７１Ｆの全てが開状態である。
【００８１】
図１０を参照して、遮蔽装置７０が全開状態となると、各冷蔵室供給風路２９等に繋がる開口が全て開状態となるので、これらの風路に冷気が送風されるようになる。具体的には、冷蔵室供給風路２９を介して冷蔵室１５に冷気が供給され、上方供給風路５１、５２を経由して上段冷凍室１８に冷気が供給され、下方供給風路５３、５４、５５を経由して下段冷凍室１９に冷気が供給される。また、ここでは図示しない供給風路を経由して野菜室２０にも冷気が供給される。
【００８２】
図１１および図１２を参照して、冷蔵室１５のみに冷気を送風する半開状態の遮蔽装置７０を説明する。図１１に半開状態の遮蔽装置７０を示す。図１１（Ａ）は半開状態における回転プレート７３を示し、図１１（Ｂ）はその状態の回転遮蔽壁７１Ａ等を示す。
【００８３】
図１１（Ａ）を参照して、図７（Ａ）に示した全閉状態から、回転プレート７３を逆方向に若干回転させることで、半開状態が実現されている。この半開状態に於いては、移動軸スライド溝８０Ａのみにおいて、半径方向外側部分に移動軸７６Ａが配置される。一方、他の移動軸スライド溝８０Ｂ等においては、半径方向内側部分に移動軸７６Ｂが配置される。
【００８４】
具体的には、移動軸スライド溝８０Ａの溝部８０ＡＣの逆方向側端部に移動軸７６Ａが配置される。このようにすることで、後述するように、遮蔽装置７０の上部のみを開状態にすることができる。
【００８５】
一方、移動軸スライド溝８０Ｂの溝部８０ＢＣに移動軸７６Ｂが配置され、移動軸スライド溝８０Ｃの溝部８０ＣＢの順方向端部に移動軸７６Ｃが配置される。また、移動軸スライド溝８０Ｄの溝部８０ＤＢに移動軸７６Ｄが配置され、移動軸スライド溝８０Ｅの溝部８０ＥＢに移動軸７６Ｅが配置され、移動軸スライド溝８０Ｆの溝部８０ＦＣに移動軸７６Ｆが配置される。
【００８６】
図１１（Ｂ）を参照して、各回転遮蔽壁７１Ａ等の移動軸７６Ａ等を上記のように配置することで、回転遮蔽壁７１Ａは、移動軸７６Ａが半径方向外側に移動されることで回転軸７５Ａを中心として反時計回りに回転して開状態となる。一方、他の回転遮蔽壁７１Ｂないし回転遮蔽壁７１Ｆは、これらの移動軸７６Ｂないし７６Ｆは半径方向内側に留まっているので、閉状態のままである。
【００８７】
図１２を参照して、遮蔽装置７０が上記した半開状態となると、一部の風路のみに冷気が送風され、他の風路には冷気は送風されない。具体的には、冷蔵室供給風路２９を介して冷蔵室１５に冷気が供給される。一方、上方供給風路５１、５２を経由して上段冷凍室１８に冷気は供給されず、下方供給風路５３、５４、５５を経由して下段冷凍室１９に冷気は供給されない。
【００８８】
図１３および図１４を参照して、上段冷凍室１８等のみに冷気を送風する半開状態の遮蔽装置７０を説明する。図１３に半開状態の遮蔽装置７０を示す。図１３（Ａ）は半開状態における回転プレート７３を示し、図１３（Ｂ）はその状態の回転遮蔽壁７１Ａ等を示す。
【００８９】
図１３（Ａ）を参照して、図１１（Ａ）に示した状態から、回転プレート７３を順方向に若干回転させることで、上段冷凍室１８のみに冷気を送風する半開状態が実現されている。この半開状態に於いては、移動軸スライド溝８０Ｂ、８０Ｆのみにおいて、半径方向外側部分に移動軸７６Ｂ、７６Ｆが配置される。一方、他の移動軸スライド溝８０Ａ、８０Ｃ、８０Ｄ、８０Ｅにおいては、半径方向内側部分に移動軸７６Ａ、７６Ｃ、７６Ｄ、７６Ｅが配置される。よって、後述するように、遮蔽装置７０の左右方向両端部のみを開状態にすることができる。
【００９０】
具体的には、移動軸スライド溝８０Ａの溝部８０ＡＡに移動軸７６Ａが配置され、移動軸スライド溝８０Ｂの溝部８０ＢＡの順方向側端部に移動軸７６Ｂが配置され、移動軸スライド溝８０Ｃの溝部８０ＣＢに移動軸７６Ｃが配置される。また、移動軸スライド溝８０Ｄの溝部８０ＤＢに移動軸７６Ｄが配置され、移動軸スライド溝８０Ｅの溝部８０ＥＢに移動軸７６Ｅが配置され、移動軸スライド溝８０Ｆの溝部８０ＦＢの逆方向側端部に移動軸７６Ｆが配置される。
【００９１】
図１３（Ｂ）を参照して、各回転遮蔽壁７１Ａ等の移動軸７６Ａ等を上記のように配置することで、回転遮蔽壁７１Ｂは、移動軸７６Ｂが半径方向外側に移動されることで回転軸７５Ａを中心として反時計回りに回転して開状態となる。同様に、回転遮蔽壁７１Ｆも開状態と成る。一方、他の回転遮蔽壁７１Ａ、７１Ｃ、７１Ｄ、７１Ｅは、これらの移動軸７６Ｃ、７６Ｄ、７６Ｅは半径方向内側に留まっているので、閉状態のままである。
【００９２】
図１４を参照して、遮蔽装置７０が上記した半開状態となると、上方供給風路５１、５２のみに冷気が送風され、上記した上段冷凍室１８等のみが冷却される。一方、冷蔵室供給風路２９および下方供給風路５３、５４、５５を経由して上段冷凍室１８に冷気は供給されず、上記した冷蔵室１５および下段冷凍室１９に冷気は供給されない。更に、冷蔵室供給風路２９にも冷気は供給されない。よって、図１に示す製氷室１６および上段冷凍室１８のみを効果的に冷却することができる。
【００９３】
図１５および図１６を参照して、上記した下段冷凍室１９のみに冷気を送風する半開状態の遮蔽装置７０を説明する。図１５に半開状態の遮蔽装置７０を示す。図１５（Ａ）は半開状態における回転プレート７３を示し、図１５（Ｂ）はその状態の回転遮蔽壁７１Ａ等を示す。
【００９４】
図１５（Ａ）を参照して、図１３（Ａ）に示した状態から、回転プレート７３を順方向に回転させることで、下段冷凍室１９のみに冷気を送風する半開状態が実現されている。この半開状態に於いては、移動軸スライド溝８０Ｃ、８０Ｄ、８０Ｅのみにおいて、半径方向外側部分に移動軸７６Ｃ、７６Ｄ、７６Ｅが配置される。一方、他の移動軸スライド溝８０Ａ、８０Ｂ、８０Ｆにおいては、半径方向内側部分に移動軸７６Ａ、７６Ｂ、７６Ｆが配置される。よって、後述するように、遮蔽装置７０の下部のみを開状態にすることができる。
【００９５】
具体的には、移動軸スライド溝８０Ａの溝部８０ＡＡに移動軸７６Ａが配置され、移動軸スライド溝８０Ｂの溝部８０ＢＡの逆方向側端部に移動軸７６Ｂが配置され、移動軸スライド溝８０Ｃの溝部８０ＣＡの逆方向側端部に移動軸７６Ｃが配置される。また、移動軸スライド溝８０Ｄの溝部８０ＤＡの逆方向側端部に移動軸７６Ｄが配置され、移動軸スライド溝８０Ｅの溝部８０ＥＡの逆方向側端部に移動軸７６Ｅが配置され、移動軸スライド溝８０Ｆの溝部８０ＦＡの逆方向側端部に移動軸７６Ｆが配置される。
【００９６】
図１５（Ｂ）を参照して、各回転遮蔽壁７１Ａ等の移動軸７６Ａ等を上記のように配置することで、回転遮蔽壁７１Ｃは、移動軸７６Ｃが半径方向外側に移動されることで、回転軸７５Ｃを中心として反時計回りに回転して開状態となる。同様に、回転遮蔽壁７１Ｄは、移動軸７６Ｄが半径方向外側に移動されることで回転軸７５Ｄを中心として反時計回りに回転して開状態となる。また、回転遮蔽壁７１Ｅも、移動軸７６Ｅが半径方向外側に移動されることで回転軸７５Ｅを中心として反時計回りに回転して開状態となる。一方、他の回転遮蔽壁７１Ａ、７１Ｂ、７１Ｆは、これらの移動軸７６Ａ、７６Ｂ、７６Ｆは半径方向内側に留まっているので、閉状態のままである。
【００９７】
図１６を参照して、遮蔽装置７０が上記した半開状態となると、下方供給風路５３、５４、５５のみに冷気が送風され、上記した下段冷凍室１９等のみが冷却される。一方、冷蔵室供給風路２９、上方供給風路５１、５２を経由して冷気は供給されず、上記した冷蔵室１５および上段冷凍室１８に冷気は供給されない。よって、図１に示す下段冷凍室１９のみを効果的に冷却することができる。
【００９８】
上記のように、本実施形態に係る遮蔽装置７０は、図６に示した回転遮蔽壁７１Ａ等を回転させることで、各風路を開閉することが出来る。よって、送風機４７の半径方向に対して回転遮蔽壁７１Ａ等が変位するので、送風機４７の軸方向に沿って部材が変位することがない。従って、遮蔽装置７０が占有する厚みが小さくなる。更に、図２を参照して、遮蔽装置７０が占有する容積を小さくすることができるので、遮蔽装置７０の前方に形成される冷凍室１７の庫内容積を大きくし、より多くの被冷凍物を冷凍室１７に貯蔵することができる。
【００９９】
本発明は、上記実施形態に限定されるものではなく、その他、本発明の要旨を逸脱しない範囲で、種々の変更実施が可能である。
【符号の説明】
【０１００】
１０   冷蔵庫
１１   断熱箱体
１２   外箱
１３   内箱
１４   断熱材
１５   冷蔵室
１６   製氷室
１７   冷凍室
１８   上段冷凍室
１９   下段冷凍室
２０   野菜室
２１   断熱扉
２２   断熱扉
２３   断熱扉
２４   断熱扉
２５   断熱扉
２６   冷却室
２７   送風口
２８   戻り口
２９   冷蔵室供給風路
３１   冷凍室供給風路
３３   吹出口
３４   吹出口
３７   野菜室帰還風路
３８   戻り口
３９   戻り口
４２   断熱仕切壁
４３   断熱仕切壁
４４   圧縮機
４５   冷却器
４６   除霜ヒータ
４７   送風機
５１   上方供給風路
５２   上方供給風路
５３   下方供給風路
５４   下方供給風路
５５   下方供給風路
５６   風路区画壁
６５   仕切体
６６   仕切体
６７   前面カバー
７０   遮蔽装置
７１、７１Ａ、７１Ｂ、７１Ｃ、７１Ｄ、７１Ｅ、７１Ｆ    回転遮蔽壁
７２   支持板
７３   回転プレート
７４   駆動モータ
７５、７５Ａ、７５Ｂ、７５Ｃ、７５Ｄ、７５Ｅ、７５Ｆ    回転軸
７６、７６Ａ、７６Ｂ、７６Ｃ、７６Ｄ、７６Ｅ、７６Ｆ    移動軸
７７   支持部
７８   ビス
７９、７９Ａ、７９Ｂ、７９Ｃ、７９Ｄ、７９Ｅ、７９Ｆ    回転軸スライド溝
８０、８０Ａ、８０Ｂ、８０Ｃ、８０Ｄ、８０Ｅ、８０Ｆ    移動軸スライド溝
８０ＡＡ、８０ＡＢ、８０ＡＣ       溝部
８０ＢＡ、８０ＢＢ、８０ＢＣ、８０ＢＤ    溝部
８０ＣＡ、８０ＣＢ、８０ＣＣ       溝部
８０ＤＡ、８０ＤＢ、８０ＤＣ       溝部
８０ＥＡ、８０ＥＢ、８０ＥＣ       溝部
８０ＦＡ、８０ＦＢ、８０ＦＣ、８０ＦＤ    溝部
１００ 冷蔵庫
１０１ 冷蔵室
１０２ 冷凍室
１０３ 野菜室
１０４ 冷却室
１０５ 区画壁
１０６ 開口部
１０７ 送風ファン
１０８ 冷却器
１０９ 風路
１１０ 送風機カバー
１１１ 凹部
１１３ 開口部
１１４ ダンパ
【図１】
2019100656.tif 000003
【図２】
2019100656.tif 000004
【図３】
2019100656.tif 000005
【図４】
2019100656.tif 000006
【図５】
2019100656.tif 000007
【図６】
2019100656.tif 000008
【図７】
2019100656.tif 000009
【図８】
2019100656.tif 000010
【図９】
2019100656.tif 000011
【図１０】
2019100656.tif 000012
【図１１】
2019100656.tif 000013
【図１２】
2019100656.tif 000014
【図１３】
2019100656.tif 000015
【図１４】
2019100656.tif 000016
【図１５】
2019100656.tif 000017
【図１６】
2019100656.tif 000018
【図１７】
2019100656.tif 000019
【図１８】
2019100656.tif 000020